(57)【要約】      （修正有）【課題】蓄光スペクトル波長と、その伝播に伴う蓄光エネルギーとを利用し、体の疼痛、及びその他の疾病を改善して健康状態を促進することが可能な健康促進具、及び健康促進具取付け構造を提供する。【解決手段】健康促進具１は、蓄光スペクトル波長を持つ光を出射する蓄光物質を含む蓄光成形体２と、蓄光成形体２が取付けられた基体３とを備えている。【選択図】図１
0003186711.tif 000002
【実用新案登録請求の範囲】
【請求項１】
蓄光スペクトル波長を持つ光を出射する蓄光物質を含む蓄光成形体と、
前記蓄光成形体が取付けられた基体とを備えている
健康促進具。
【請求項２】
前記蓄光成形体と前記基体との間には、前記蓄光成形体から出射された光を反射する反射部が介在している、
請求項１に記載の健康促進具。
【請求項３】
前記反射部は、前記蓄光成形体及び前記基体のうち少なくとも何れか一方に塗布されている、
請求項１又は２に記載の健康促進具。
【請求項４】
前記基体は、柔軟性を有している、
請求項１乃至３の何れか１項に記載の健康促進具。
【請求項５】
前記健康促進具の取付け構造であって、
前記蓄光成形体から出射された光の波長を変換する変換部をさらに備え、
前記変換部は、前記蓄光成形体と前記蓄光成形体から出射された光を受光する受光部との間に配置されている
健康促進具取付け構造。
【請求項６】
前記受光部は、その少なくとも一部が体の経穴の位置に重なっている、
請求項５に記載の健康促進具取付け構造。
【考案の詳細な説明】
【技術分野】
【０００１】  本考案は、健康状態へ促すための健康促進具、及び健康促進具取付け構造に関する。
【背景技術】
【０００２】  従来、健康促進具として、水晶片皮膚貼付具により疼痛を改善するものが知られている（例えば、特許文献１参照。）。【０００３】  特許文献１に記載の水晶片皮膚貼付具は、所定周波数域の振動によって肩凝りや腰痛等を解消できる水晶振動子と、この水晶振動子を皮膚に貼り付けるための粘着材とを一体に有している。
【先行技術文献】
【特許文献】
【０００４】
【特許文献１】特許２８５７６３６号
【考案の概要】
【考案が解決しようとする課題】
【０００５】  しかしながら、特許文献１に記載の水晶片皮膚貼付具では、粘着材によって体へ直接貼付けるため、貼付部及びその周辺部に炎症が起きたり、皮膚の発汗による剥離が起きたりする問題があった。【０００６】  そこで、本考案の目的は、体へ直接貼付けずに体の疼痛、及びその他の疾病を解消して健康状態へ促すことが可能な健康促進具、及び健康促進具取付け構造を提供することにある。
【考案が解決するための手段】
【０００７】  本考案は上記課題を解決することを目的として、蓄光スペクトル波長を持つ光を出射する蓄光物質を含む蓄光成形体と、前記蓄光成形体が取付けられた基体とを備えている健康促進具を提供する。
【０００８】  また、前記蓄光成形体と前記基体との間には、前記蓄光成形体から出射された光を反射する反射部が介在しているとよい。
【０００９】  また、前記反射部は、前記蓄光成形体及び前記基体のうち少なくとも何れか一方に塗布されているとよい。
【００１０】  また、前記基体は、柔軟性を有しているとよい。
【００１１】  また、前記健康促進具の取付け構造であって、前記蓄光成形体から出射された光の波長を変換する変換部をさらに備え、前記変換部は、前記蓄光成形体と前記蓄光成形体から出射された光を受光する受光部との間に配置されている健康促進具取付け構造を提供する。
【００１２】  また、前記受光部は、その少なくとも一部が体の経穴の位置に重なっているとよい。
【考案の効果】
【００１３】  本考案に係る健康促進具、及び健康促進具取付け構造によれば、体へ直接貼付けずに体の疼痛、及びその他の疾病を解消して健康状態へ促すことが可能となる。
【図面の簡単な説明】
【００１４】
【図１】本考案の実施の形態に係る健康促進具の構成例を示す平面図である。
【図２】図１のＡ−Ａ線断面図である。
【図３】本考案の実施の形態に係る健康促進具を体に装着した状態を示し、（ａ）は平面図、（ｂ）は（ａ）のＢ−Ｂ線断面図である。
【図４】（ａ）は太陽の可視光線のスペクトル波長と放射エネルギー相対値との関係を示す曲線、（ｂ）は白色蛍光灯のスペクトル波長と放射エネルギー相対値との関係を示す曲線、（ｃ）は蓄光成形体２の蓄光スペクトル波長と蓄光エネルギー相対値との関係を示す曲線を示す図である。
【図５】（ａ）はヘモグロビンのスペクトル波長と吸収率との関係を示す曲線、（ｂ）は蓄光成形体２のスペクトル波長と蓄光エネルギー相対値との関係を示す曲線を示す図である。
【考案を実施するための形態】
【００１５】  ［実施の形態］
この健康促進具は、蓄光の蓄光スペクトル波長を利用して構成されるものである。以下、図１乃至図３を参照して、より具体的に説明する。
【００１６】  図１は、本考案の実施の形態に係る健康促進具１の構成例を示す平面図である。図２は、図１のＡ−Ａ線断面図である。図３は、本考案の実施の形態に係る健康促進具１を体に装着した状態を示し、（ａ）は平面図、（ｂ）は（ａ）のＢ−Ｂ線断面図である。
【００１７】  この健康促進具１は、蓄光スペクトル波長を持つ光を出射する蓄光物質を含む蓄光成形体２と、蓄光成形体２が取付けられた基体３とを備えている。
【００１８】  ここで、蓄光物質とは、アルミン酸ストロンチウムや硫化亜鉛等を母体に希土類を加え焼成した化合物で、太陽及び照明器具より出射される光を吸収し、励起した後に光を出射する物質である。また、蓄光物質が励起するために吸収されるスペクトル波長は、例えば２００ｎｍ〜４５０ｎｍ前後である。
【００１９】  ここで、蓄光スペクトル波長とは、蓄光物質が光を出射する際における波長である。また、出射時の蓄光スペクトル波長は、４００ｎｍ〜７００ｎｍ前後にて、最大値は５２０ｎｍ前後である（図４及び図５を参照）。
【００２０】  蓄光成形体２は、丸形状を有しており、本実施の形態では６個の蓄光成形体２が基体３に取付けられている。なお、蓄光成形体２は丸形状に限らず、例えば星形、魚形、木形、楕円形、長方形等を有していてもよい。また、蓄光成形体２の取付け個数は６個に限らず、任意の個数でよい。
【００２１】  基体３は、柔軟性を有しており、例えばタオル、敷布等が用いられる。また、体の形状や肌衣に合致出来る部材を有すれば、より望ましい。
【００２２】  図２に示すように、蓄光成形体２と基体３との間には、蓄光成形体２から出射された光を反射する反射部４が介在し、蓄光成形体２は、第１の粘着部材５１により反射部４に取付けられている。なお、第１の粘着部材５１に限らず縫い付け等の取付け手段を用いてもよい。また、反射部４は、第２の粘着部材５２により基体３に取付けられている。なお、第２の粘着部材５２に限らず縫い付け等の取付け手段を用いてもよい。
【００２３】  反射部４は、反射率が高い色素を有する部材、例えば白紙やアルミニウム箔等を使用することが可能である。また、反射部４は、蓄光成形体２及び基体３のうち少なくとも何れか一方に反射率が高い色素を有する部材を塗布することにより構成されてもよい。なお、蓄光成形体２及び基体３のうち少なくとも何れか一方に塗布される面部には、第１の粘着部材５１を使用しなくても可能である。
【００２４】図３（ａ）及び図３（ｂ）に示すように、蓄光成形体２と受光部７０との間には、変換部６を備えている。変換部６は、例えば、赤色、青色、紫色等の色素を有している。また、変換部６は、例えば布帛、シート類、シーツ類等が使用可能で、柔軟性を有し、且つ体の形状や肌衣に合致可能な部材を有すれば、より望ましい。なお、変換部６は、例えば第３の粘着部材５３や縫い付け等の取付け手段を用いて、図３（ｂ）に示すように、基体３へ取付けて層状にしてもよい。また、変換部６は、色付き肌着及び体毛でもよい。
【００２５】  変換部６は、前述の蓄光スペクトル波長の最大値５２０ｎｍ前後を、変換部６に使用されている色素により、異なるスペクトル波長に変換するものである。
【００２６】  体の皮膚面７は、蓄光成形体２から出射された光を受光する受光部７０を少なくとも一部に有している。また、基体３へ取り付ける蓄光成形体２の位置を、その少なくとも一部に体の図略の経穴近傍に合わせて取付けているため、受光部７０は、その少なくとも一部が体の経穴の位置に重なっている。なお、受光部７０全体が経穴位置に一致していると、なおよい。
【００２７】  （本実施の形態の作用及び効果）
以上説明した本実施の形態の作用及び効果について、図４及び図５を参照して以下説明する。
【００２８】  図４は、（ａ）は太陽の可視光線のスペクトル波長と放射エネルギー相対値との関係を示す曲線、（ｂ）は白色蛍光灯のスペクトル波長と放射エネルギー相対値との関係を示す曲線、（ｃ）は蓄光成形体２のスペクトル波長と蓄光エネルギー相対値との関係を示す曲線を示す図である。但し、縦軸は可視光線及び白色蛍光灯及び蓄光成形体２の曲線毎の最大値を１とし、相対値評価して示す。なお、（ａ）曲線及び（ｂ）曲線は東芝（明るさの定義と単位、放射）を参考にした。図５は、（ａ）はヘモグロビンのスペクトル波長と吸収率との関係を示す曲線、（ｂ）は蓄光成形体２のスペクトル波長と蓄光エネルギー相対値との関係を示す曲線を示す図である。但し、各曲線によって縦軸の次元が異なるため、吸収率と蓄光エネルギーの相対値とを二軸として示す。なお、（ａ）曲線は日形外会誌３：４５９−４４５、１９８３を参考にした。
【００２９】  体は地上に降り注ぐ太陽光の放射スペクトル波長、つまり、紫外線（〜３８０ｎｍ）、可視光線（３８０ｎｍ〜７８０ｎｍ）、及び近赤外線（７８０ｎｍ〜２５００ｎｍ）領域の波長を持つ光を体細胞へ吸収して健康を維持しつつ活動している。それらの波長の中でも、可視光線の波長領域（３８０ｎｍ〜７８０ｎｍ）は、生命の成長や健康を担う上で重要な位置を占めしていることが分かっている。
【００３０】  本考案の蓄光物質を含む蓄光成形体２より出射される光の蓄光スペクトル波長は、測光の基準である比視感度（４００ｎｍ〜最大５５０ｎｍ〜７００ｎｍ）近傍の蓄光スペクトル波長であって、可視光線の放射スペクトル波長（３８０ｎｍ〜７８０ｎｍ）の領域内にあることが分かる（図４及び図５を参照）。つまり、蓄光成形体２より出射される光の蓄光スペクトル波長は、体細胞に吸収される作用を持ち、且つその波長は共振域にある。以上を換言すれば、蓄光スペクトル波長は体細胞へ作用し、これをより活性化させ、健康状態へ促進する効果が発揮される。
【００３１】  生命維持に欠かせない血液は、体外より摂取した栄養素・水分・酸素を体細胞へ運搬し二酸化炭素・老廃棄物を運び出す媒体であるが、特に、赤血球の大部分を占めるヘモグロビンの吸収スペクトルは、波長に強く作用することが分かっている。
【００３２】  図５に示すように、ヘモグロビンと蓄光成形体２との各曲線は、ほぼ高値で近似している。即ち、蓄光成形体２より出射される光の蓄光スペクトル波長が、ヘモグロビンの吸収に際する波長域にあることにより、ヘモグロビンの吸収スペクトルは、より強く作用する。換言すれば、蓄光スペクトル波長により血液中のヘモグロビンは、より活性化して有効に酸素が体細胞へ供給されるため、体細胞はより活性化し、新陳代謝を促す等、健康状態へ促進する効果が発揮される。
【００３３】  光の放射スペクトル波長と、その伝播に伴う放射エネルギーとの関係は、
Ｅ＝１２４０／λで定義され、Ｅは放射エネルギー、λは放射スペクトル波長である。従って、放射エネルギーは放射スペクトル波長に反比例する。即ち、放射スペクトル波長が長い場合は放射エネルギーが少なく、放射スペクトル波長が短い場合は放射エネルギーが大きいことが分かる。また、放射スペクトル波長が長い場合は深く浸透し、放射スペクトル波長が短い場合は浅く浸透する。
【００３４】  なおまた、体の各部位を構成する細胞は、少なくとも可視光線の放射スペクトル波長領域の特定のスペクトル波長と、その伝播に伴う放射エネルギーとを、より吸収することが分かっている。その結果、体細胞は活性化し、新陳代謝が促されるため、生命の成長や進化や維持及び治癒することが分かっている。
【００３５】  蓄光成形体２より出射される光の蓄光スペクトル波長（４００ｎｍ〜最大５２０ｎｍ前後〜７００ｎｍ）の最大波長を色素により変換して、より適したスペクトル波長と、その伝播に伴う放射エネルギーとを得ることは、体の治癒を促進させるための有効手段である。従って、蓄光スペクトル波長を色素により変換する変換部６をさらに備えて、色素により変換した蓄光スペクトル波長と、その伝播に伴う蓄光エネルギーとを疼痛及びその他の疾病の局部近傍に作用させることにより、健康状態へ促進する効果が、より発揮される。
【００３６】  健康促進具１は、太陽及び照明器具より発せられる光の放射スペクトル波長と、その伝播に伴う放射エネルギーを入力源としている。また、蓄光物質は無機質素材のため劣化しにくい。従って、半永久的に使用可能であり、節約が図れる。
【００３７】  健康促進具１は、疼痛患部または経穴近傍の皮膚や肌着等の面部に宛てがう、覆う、敷く等だけの簡便に使用でき、また折りたたみが可能であるため携帯することも可能である。
【００３８】  次に、協力者を集い本考案の健康促進具を用いて試験を行った結果を以下に示す。
【００３９】
【表１】
0003186711.tif 000003
【００４０】  表１に示すように、体の疼痛が徐々に緩和されてきており、血液中のヘモグロビンの活性化による体への効果もあって健康状態へ促進していることがわかる。
【符号の説明】
【００４１】１・・・健康促進具
２・・・蓄光成形体
３・・・基体
４・・・反射部
５１・・・第１の粘着部材
５２・・・第２の粘着部材
５３・・・第３の粘着部材
６・・・変換部
７・・・皮膚面
７０・・・受光部
【図１】
0003186711.tif 000004
【図２】
0003186711.tif 000005
【図３】
0003186711.tif 000006
【図４】
0003186711.tif 000007
【図５】
0003186711.tif 000008
【手続補正書】
【提出日】平成25年8月6日(2013.8.6)
【手続補正１】
【補正対象書類名】実用新案登録請求の範囲
【補正対象項目名】全文
【補正方法】変更
【補正の内容】
【実用新案登録請求の範囲】
【請求項１】
蓄光スペクトル波長を持つ光を出射する蓄光物質を含む蓄光成形体と、
前記蓄光成形体が取付けられた基体とを備えている
健康促進具。
【請求項２】
前記蓄光成形体と前記基体との間には、前記蓄光成形体から出射された光を反射する反射部が介在している、
請求項１に記載の健康促進具。
【請求項３】
前記反射部は、前記蓄光成形体及び前記基体のうち少なくとも何れか一方に塗布されている、
請求項１又は２に記載の健康促進具。
【請求項４】
前記基体は、柔軟性を有している、
請求項１乃至３の何れか１項に記載の健康促進具。
【請求項５】
前記蓄光成形体から出射された光の波長を変換する変換部をさらに備え、
前記変換部は、前記蓄光成形体と前記蓄光成形体から出射された光を受光する受光部との間に配置されている
請求項１乃至４の何れか１項に記載の健康促進具。
【手続補正２】
【補正対象書類名】明細書
【補正対象項目名】全文
【補正方法】変更
【補正の内容】
【考案の詳細な説明】
【技術分野】
【０００１】  本考案は、健康状態へ促すための健康促進具に関する。
【背景技術】
【０００２】  従来、健康促進具として、水晶片皮膚貼付具により疼痛を改善するものが知られている（例えば、特許文献１参照。）。【０００３】  特許文献１に記載の水晶片皮膚貼付具は、所定周波数域の振動によって肩凝りや腰痛等を解消できる水晶振動子と、この水晶振動子を皮膚に貼り付けるための粘着材とを一体に有している。
【先行技術文献】
【特許文献】
【０００４】
【特許文献１】特許２８５７６３６号
【考案の概要】
【考案が解決しようとする課題】
【０００５】  しかしながら、特許文献１に記載の水晶片皮膚貼付具では、粘着材によって体へ直接貼付けるため、貼付部及びその周辺部に炎症が起きたり、皮膚の発汗による剥離が起きたりする問題があった。【０００６】  そこで、本考案の目的は、体へ直接貼付けずに体の疼痛、及びその他の疾病を解消して健康状態へ促すことが可能な健康促進具を提供することにある。
【考案が解決するための手段】
【０００７】  本考案は上記課題を解決することを目的として、蓄光スペクトル波長を持つ光を出射する蓄光物質を含む蓄光成形体と、前記蓄光成形体が取付けられた基体とを備えている健康促進具を提供する。
【０００８】  また、前記蓄光成形体と前記基体との間には、前記蓄光成形体から出射された光を反射する反射部が介在しているとよい。
【０００９】  また、前記反射部は、前記蓄光成形体及び前記基体のうち少なくとも何れか一方に塗布されているとよい。
【００１０】  また、前記基体は、柔軟性を有しているとよい。
【００１１】  また、前記蓄光成形体から出射された光の波長を変換する変換部をさらに備え、前記変換部は、前記蓄光成形体と前記蓄光成形体から出射された光を受光する受光部との間に配置されているとよい。
【考案の効果】
【００１２】  本考案に係る健康促進具によれば、体へ直接貼付けずに体の疼痛、及びその他の疾病を解消して健康状態へ促すことが可能となる。
【図面の簡単な説明】
【００１３】
【図１】本考案の実施の形態に係る健康促進具の構成例を示す平面図である。
【図２】図１のＡ−Ａ線断面図である。
【図３】本考案の実施の形態に係る健康促進具を体に装着した状態を示し、（ａ）は平面図、（ｂ）は（ａ）のＢ−Ｂ線断面図である。
【図４】（ａ）は太陽の可視光線のスペクトル波長と放射エネルギー相対値との関係を示す曲線、（ｂ）は白色蛍光灯のスペクトル波長と放射エネルギー相対値との関係を示す曲線、（ｃ）は蓄光成形体２の蓄光スペクトル波長と蓄光エネルギー相対値との関係を示す曲線を示す図である。
【図５】（ａ）はヘモグロビンのスペクトル波長と吸収率との関係を示す曲線、（ｂ）は蓄光成形体２のスペクトル波長と蓄光エネルギー相対値との関係を示す曲線を示す図である。
【考案を実施するための形態】
【００１４】  ［実施の形態］
この健康促進具は、蓄光の蓄光スペクトル波長を利用して構成されるものである。以下、図１乃至図３を参照して、より具体的に説明する。
【００１５】  図１は、本考案の実施の形態に係る健康促進具１の構成例を示す平面図である。図２は、図１のＡ−Ａ線断面図である。図３は、本考案の実施の形態に係る健康促進具１を体に装着した状態を示し、（ａ）は平面図、（ｂ）は（ａ）のＢ−Ｂ線断面図である。
【００１６】  この健康促進具１は、蓄光スペクトル波長を持つ光を出射する蓄光物質を含む蓄光成形体２と、蓄光成形体２が取付けられた基体３とを備えている。
【００１７】  ここで、蓄光物質とは、アルミン酸ストロンチウムや硫化亜鉛等を母体に希土類を加え焼成した化合物で、太陽及び照明器具より出射される光を吸収し、励起した後に光を出射する物質である。また、蓄光物質が励起するために吸収されるスペクトル波長は、例えば２００ｎｍ〜４５０ｎｍ前後である。
【００１８】  ここで、蓄光スペクトル波長とは、蓄光物質が光を出射する際における波長である。また、出射時の蓄光スペクトル波長は、４００ｎｍ〜７００ｎｍ前後にて、最大値は５２０ｎｍ前後である（図４及び図５を参照）。
【００１９】  蓄光成形体２は、丸形状を有しており、本実施の形態では６個の蓄光成形体２が基体３に取付けられている。なお、蓄光成形体２は丸形状に限らず、例えば星形、魚形、木形、楕円形、長方形等を有していてもよい。また、蓄光成形体２の取付け個数は６個に限らず、任意の個数でよい。
【００２０】  基体３は、柔軟性を有しており、例えばタオル、敷布等が用いられる。また、体の形状や肌衣に合致出来る部材を有すれば、より望ましい。
【００２１】  図２に示すように、蓄光成形体２と基体３との間には、蓄光成形体２から出射された光を反射する反射部４が介在し、蓄光成形体２は、第１の粘着部材５１により反射部４に取付けられている。なお、第１の粘着部材５１に限らず縫い付け等の取付け手段を用いてもよい。また、反射部４は、第２の粘着部材５２により基体３に取付けられている。なお、第２の粘着部材５２に限らず縫い付け等の取付け手段を用いてもよい。
【００２２】  反射部４は、反射率が高い色素を有する部材、例えば白紙やアルミニウム箔等を使用することが可能である。また、反射部４は、蓄光成形体２及び基体３のうち少なくとも何れか一方に反射率が高い色素を有する部材を塗布することにより構成されてもよい。なお、蓄光成形体２及び基体３のうち少なくとも何れか一方に塗布される面部には、第１の粘着部材５１を使用しなくても可能である。
【００２３】図３（ａ）及び図３（ｂ）に示すように、蓄光成形体２と受光部７０との間には、変換部６を備えている。変換部６は、例えば、赤色、青色、紫色等の色素を有している。また、変換部６は、例えば布帛、シート類、シーツ類等が使用可能で、柔軟性を有し、且つ体の形状や肌衣に合致可能な部材を有すれば、より望ましい。なお、変換部６は、例えば第３の粘着部材５３や縫い付け等の取付け手段を用いて、図３（ｂ）に示すように、基体３へ取付けて層状にしてもよい。また、変換部６は、色付き肌着及び体毛でもよい。
【００２４】  変換部６は、前述の蓄光スペクトル波長の最大値５２０ｎｍ前後を、変換部６に使用されている色素により、異なるスペクトル波長に変換するものである。
【００２５】  体の皮膚面７は、蓄光成形体２から出射された光を受光する受光部７０を少なくとも一部に有している。また、基体３へ取り付ける蓄光成形体２の位置を、その少なくとも一部に体の図略の経穴近傍に合わせて取付けているため、受光部７０は、その少なくとも一部が体の経穴の位置に重なっている。なお、受光部７０全体が経穴位置に一致していると、なおよい。
【００２６】  （本実施の形態の作用及び効果）
以上説明した本実施の形態の作用及び効果について、図４及び図５を参照して以下説明する。
【００２７】  図４は、（ａ）は太陽の可視光線のスペクトル波長と放射エネルギー相対値との関係を示す曲線、（ｂ）は白色蛍光灯のスペクトル波長と放射エネルギー相対値との関係を示す曲線、（ｃ）は蓄光成形体２のスペクトル波長と蓄光エネルギー相対値との関係を示す曲線を示す図である。但し、縦軸は可視光線及び白色蛍光灯及び蓄光成形体２の曲線毎の最大値を１とし、相対値評価して示す。なお、（ａ）曲線及び（ｂ）曲線は東芝（明るさの定義と単位、放射）を参考にした。図５は、（ａ）はヘモグロビンのスペクトル波長と吸収率との関係を示す曲線、（ｂ）は蓄光成形体２のスペクトル波長と蓄光エネルギー相対値との関係を示す曲線を示す図である。但し、各曲線によって縦軸の次元が異なるため、吸収率と蓄光エネルギーの相対値とを二軸として示す。なお、（ａ）曲線は日形外会誌３：４５９−４４５、１９８３を参考にした。
【００２８】  体は地上に降り注ぐ太陽光の放射スペクトル波長、つまり、紫外線（〜３８０ｎｍ）、可視光線（３８０ｎｍ〜７８０ｎｍ）、及び近赤外線（７８０ｎｍ〜２５００ｎｍ）領域の波長を持つ光を体細胞へ吸収して健康を維持しつつ活動している。それらの波長の中でも、可視光線の波長領域（３８０ｎｍ〜７８０ｎｍ）は、生命の成長や健康を担う上で重要な位置を占めしていることが分かっている。
【００２９】  本考案の蓄光物質を含む蓄光成形体２より出射される光の蓄光スペクトル波長は、測光の基準である比視感度（４００ｎｍ〜最大５５０ｎｍ〜７００ｎｍ）近傍の蓄光スペクトル波長であって、可視光線の放射スペクトル波長（３８０ｎｍ〜７８０ｎｍ）の領域内にあることが分かる（図４及び図５を参照）。つまり、蓄光成形体２より出射される光の蓄光スペクトル波長は、体細胞に吸収される作用を持ち、且つその波長は共振域にある。以上を換言すれば、蓄光スペクトル波長は体細胞へ作用し、これをより活性化させ、健康状態へ促進する効果が発揮される。
【００３０】  生命維持に欠かせない血液は、体外より摂取した栄養素・水分・酸素を体細胞へ運搬し二酸化炭素・老廃棄物を運び出す媒体であるが、特に、赤血球の大部分を占めるヘモグロビンの吸収スペクトルは、波長に強く作用することが分かっている。
【００３１】  図５に示すように、ヘモグロビンと蓄光成形体２との各曲線は、ほぼ高値で近似している。即ち、蓄光成形体２より出射される光の蓄光スペクトル波長が、ヘモグロビンの吸収に際する波長域にあることにより、ヘモグロビンの吸収スペクトルは、より強く作用する。換言すれば、蓄光スペクトル波長により血液中のヘモグロビンは、より活性化して有効に酸素が体細胞へ供給されるため、体細胞はより活性化し、新陳代謝を促す等、健康状態へ促進する効果が発揮される。
【００３２】  光の放射スペクトル波長と、その伝播に伴う放射エネルギーとの関係は、Ｅ＝１２４０／λで定義され、Ｅは放射エネルギー、λは放射スペクトル波長である。従って、放射エネルギーは放射スペクトル波長に反比例する。即ち、放射スペクトル波長が長い場合は放射エネルギーが少なく、放射スペクトル波長が短い場合は放射エネルギーが大きいことが分かる。また、放射スペクトル波長が長い場合は深く浸透し、放射スペクトル波長が短い場合は浅く浸透する。
【００３３】  なおまた、体の各部位を構成する細胞は、少なくとも可視光線の放射スペクトル波長領域の特定のスペクトル波長と、その伝播に伴う放射エネルギーとを、より吸収することが分かっている。その結果、体細胞は活性化し、新陳代謝が促されるため、生命の成長や進化や維持及び治癒することが分かっている。
【００３４】  蓄光成形体２より出射される光の蓄光スペクトル波長（４００ｎｍ〜最大５２０ｎｍ前後〜７００ｎｍ）の最大波長を色素により変換して、より適したスペクトル波長と、その伝播に伴う放射エネルギーとを得ることは、体の治癒を促進させるための有効手段である。従って、蓄光スペクトル波長を色素により変換する変換部６をさらに備えて、色素により変換した蓄光スペクトル波長と、その伝播に伴う蓄光エネルギーとを疼痛及びその他の疾病の局部近傍に作用させることにより、健康状態へ促進する効果が、より発揮される。
【００３５】  健康促進具１は、太陽及び照明器具より発せられる光の放射スペクトル波長と、その伝播に伴う放射エネルギーを入力源としている。また、蓄光物質は無機質素材のため劣化しにくい。従って、半永久的に使用可能であり、節約が図れる。
【００３６】  健康促進具１は、疼痛患部または経穴近傍の皮膚や肌着等の面部に宛てがう、覆う、敷く等だけの簡便に使用でき、また折りたたみが可能であるため携帯することも可能である。
【００３７】  次に、協力者を集い本考案の健康促進具を用いて試験を行った結果を以下に示す。
【００３８】
【表１】
0003186711.tif 000009
【００３９】  表１に示すように、体の疼痛が徐々に緩和されてきており、血液中のヘモグロビンの活性化による体への効果もあって健康状態へ促進していることがわかる。
【符号の説明】
【００４０】１・・・健康促進具
２・・・蓄光成形体
３・・・基体
４・・・反射部
５１・・・第１の粘着部材
５２・・・第２の粘着部材
５３・・・第３の粘着部材
６・・・変換部
７・・・皮膚面
７０・・・受光部